(57)【要約】【課題】無駄なデータを省き効率的に映像信号を記録する。【解決手段】  映像信号によって変調されている無線信号を受信して前記映像信号を記録する機能を有する映像信号受信記録装置であって、前記無線信号から前記映像信号を復調する映像信号復調手段と、前記映像信号の記録期間中に前記無線信号を復調することができる復調可能状態と復調することができない復調不能状態とを繰り返す場合に、復調可能状態において前記映像信号復調手段によって復調された映像信号を時間的に連続して記録する映像信号記録手段とを具備する映像信号受信記録装置。【選択図】  図９
2006245705.tif 000002
【特許請求の範囲】
【請求項１】
映像信号によって変調されている無線信号を受信して前記映像信号を記録する機能を有する映像信号受信記録装置であって、
前記無線信号から前記映像信号を復調する映像信号復調手段と、
前記映像信号の記録期間中に前記無線信号を復調することができる復調可能状態と復調することができない復調不能状態とを繰り返す場合に、復調可能状態において前記映像信号復調手段によって復調された映像信号を時間的に連続して記録する映像信号記録手段と
を具備する映像信号受信記録装置。
【請求項２】
映像信号によって変調されている無線信号を受信して前記映像信号を記録する機能を有する映像信号受信記録装置であって、
前記無線信号から前記映像信号を復調する映像信号復調手段と、
前記映像信号の記録期間中に前記無線信号を復調することができる復調可能状態である場合には、前記映像信号復調手段によって復調された映像信号を記録し、前記映像信号の記録期間中に前記無線信号を復調することができない復調不能状態である場合には、所定の静止画を示す静止画信号を記録する映像記録手段と
を具備する映像信号受信記録装置。
【請求項３】
映像信号によって変調されている無線信号を受信して前記映像信号を記録する機能を有する映像信号受信記録装置であって、
前記無線信号から前記映像信号を復調する映像信号復調手段と、
前記映像信号の記録期間中に前記無線信号を復調することができる復調可能状態と復調をすることができない復調不能状態とを繰り返す場合に、復調可能状態において前記映像信号復調手段によって復調された映像信号を時間的に連続して記録する第１の映像記録モードと、前記映像信号の記録期間中に前記無線信号を復調することができる復調可能状態である場合には、前記映像信号復調手段によって復調された映像信号を記録し、前記映像信号の記録期間中に前記無線信号を復調することができない復調不能状態である場合には、所定の静止画を示す静止画信号を記録する第２の映像記録モードとを有する映像信号記録手段と、
前記第１の映像記録モードと前記第２の映像記録モードとをユーザが選択するための選択手段と
を具備する映像信号受信記録装置。
【請求項４】
前記静止画は復調不能状態となる直前の復調可能状態の最後の映像フレームに対応する静止画である請求項２又は請求項３記載の映像信号受信記録装置。
【請求項５】
前記映像記録手段は、前記映像信号の記録期間中に前記無線信号が復調不能状態になった場合には、記録されていない映像信号があることを示す情報を記録し、
前記映像信号受信記録装置は、記録された映像信号のファイル名を前記情報とともに表示する表示手段を具備する請求項１乃至請求項４記載の映像信号受信記録装置。
【発明の詳細な説明】
【技術分野】
【０００１】
本発明は、例えば赤道上空の静止軌道に投入された静止衛星ＳＡＴを利用して配信されるＳバンド衛星ディジタル放送の受信し、メモリに記録する技術に関する。
【背景技術】
【０００２】
Ｓバンド衛星放送を実施するシステムを開示する文献として特許文献１がある。この特許文献１において、Ｓバンド衛星ディジタル放送用受信端末は、静止衛星から送信され、更に地上（とりわけ、ビルディングの様な高層建築物の屋上）に設置された再生型中継器（ギャップフィラー装置；以下、ＧＦと呼ぶ。）を通してＳバンド信号を受信する。受信端末は、ＲＦ信号を直接受信するアンテナと、ＲＦ信号を復調して映像音声信号にデコードする本体とを有する。受信端末が、デコードされた映像音声信号を受信するためには、専らこれらの受信から画像表示に至る全ての構成要素を１つの装置に積載することが考えられるが、例えばノート型のパーソナルコンピュータのＰＣＭＣＩＡカードスロットに対して挿入可能なカード型の受信装置を用いることでパーソナルコンピュータの表示系や電源系等を代用することができる。
【０００３】
このような場合には、パーソナルコンピュータのハードディスクに映像信号を記録することで録画機能を実現できる。
【特許文献１】特開平１０−３０８６９５号公報
【発明の開示】
【発明が解決しようとする課題】
【０００４】
しかしながら、映像信号の記録には多量のデータを必要とすることから限られたハードディスク容量では、長時間の映像信号の記録が出来ないという問題がある。さらに、上述のようにＧＦなどを利用するとしても、安定して信号を受信できない場合もあり、録画期間内に受信可能圏外となる場合もある。このような場合には、画面が乱れ、そのまま録画したのでは、スムーズな映像の再生ができないという問題もある。
【０００５】
本発明は、かかる課題を解決するためになされたもので、効率的に映像信号を録画することができ、また、スムーズな映像の再生をすることができる映像信号受信記録装置を提供することを目的とする。
【課題を解決するための手段】
【０００６】
この目的を達成するため、本発明の主たる観点に係る映像信号受信記録装置は、映像信号によって変調されている無線信号を受信して前記映像信号を記録する機能を有する映像信号受信記録装置であって、前記無線信号から前記映像信号を復調する映像信号復調手段と、前記映像信号の記録期間中に前記無線信号を復調することができる復調可能状態と復調することができない復調不能状態とを繰り返す場合に、復調可能状態において前記映像信号復調手段によって復調された映像信号を時間的に連続して記録する映像信号記録手段とを具備する。
【０００７】
本発明では、映像記録手段が、記録期間中に無線信号が復調可能状態と復調不能状態とを繰り返す場合に、復調可能状態下で映像信号復調手段によって復調された映像信号を時間的に連続して記録するようにしているので不要な部分の記録のためにデータを消費することがなく効率的な記録が可能になる。
【０００８】
なお、映像復調手段は受信装置の復調部に対応するものであり、復調可能状態は復調部から出力されるビット誤り率に基づいて受信可能圏内にある場合であり、復調不能状態は、受信可能圏外にある場合である。また、映像信号記録手段は、ハードディスクに放送視聴アプリケーションの録画プログラムによってデコーダからの出力信号を記録することによって実現される。
【０００９】
また、本発明の別の観点に係る映像信号受信記録装置は、映像信号によって変調されている無線信号を受信して前記映像信号を記録する機能を有する映像信号受信記録装置であって、前記無線信号から前記映像信号を復調する映像信号復調手段と、前記映像信号の記録期間中に前記無線信号を復調することができる復調可能状態である場合には、前記映像信号復調手段によって復調された映像信号を記録し、前記映像信号の記録期間中に前記無線信号を復調することができない復調不能状態である場合には、所定の静止画を示す静止画信号を記録する映像信号記録手段とを具備する。
【００１０】
この発明では、映像信号記録手段が、映像信号の記録期間中に無線信号が復調可能状態である場合には、映像信号復調手段によって復調された映像信号を記録し、映像信号の記録期間中に無線信号が復調不能状態である場合には、所定の静止画を示す静止画信号を記録するので記録映像のスムーズな再生が可能になるとともに放送される映像と同一の時間だけ記録されるので特定の場所をサーチすることが容易となる。
【００１１】
なお、この発明の映像信号記録手段は、ハードディスクに放送視聴アプリケーションの録画プログラムによってデコーダからの出力信号およびハードディスク又はメモリ上に保持されている所定の静止画信号を記録することによって実現される。
【００１２】
また、本発明の別の観点に係る映像信号受信記録装置は、映像信号によって変調されている無線信号を受信して前記映像信号を記録する機能を有する映像信号受信記録装置であって、前記無線信号から前記映像信号を復調する映像信号復調手段と、前記映像信号の記録期間中に前記無線信号を復調することができる復調可能状態と復調をすることができない復調不能状態とを繰り返す場合に、復調可能状態において前記映像信号復調手段によって復調された映像信号を時間的に連続して記録する第１の映像記録モードと、前記映像信号の記録期間中に前記無線信号を復調することができる復調可能状態である場合には、前記映像信号復調手段によって復調された映像信号を記録し、前記映像信号の記録期間中に前記無線信号を復調することができない復調不能状態である場合には、所定の静止画を示す静止画信号を記録する第２の映像記録モードとを有する映像信号記録手段と、前記第１の映像記録モードと前記第２の映像記録モードとをユーザが選択するための選択手段と
を具備する。
【００１３】
この発明によれば、映像信号を無駄なく効率的に記録できるモードと、スムーズな再生ができ、特定の記録場所をサーチすることが容易となる静止画挿入モードをユーザが選択できるので、使用状況にあわせて映像信号の記録をすることができる。
【００１４】
なお、選択手段は、操作入力部、表示部、および録画プログラムとによって実現される。
【００１５】
また、上述した静止画は復調不能状態となる直前の復調可能状態の最後の映像フレームに対応する静止画とすることでさらにスムーズな再生が可能になる。
【００１６】
さらに、映像記録手段は、映像信号の記録期間中に無線信号が復調不能状態になった場合には、記録されていない映像信号があることを示す情報を記録し、映像信号受信記録装置は、記録された映像信号のファイル名を前記情報とともに表示する表示手段を具備することで、ファイル名を表示することで記録映像の状態を容易に把握することが可能になる。
【００１７】
なお、表示手段は、表示部、録画ファイルリスト表示プログラムにより実現される。
【発明の効果】
【００１８】
上述したように本発明によれば、不要な部分の記録のためにデータを消費することがなく効率的な記録が可能になる。また、記録映像のスムーズな再生が可能になるとともに放送される映像と同一の時間だけ記録されるので特定の場所をサーチすることが容易となる効果がある。さらに、ファイル名を表示する場合に記録されていない映像信号があることを示す表示がなされるので記録映像の状態を容易に把握することが可能になる。
【発明を実施するための最良の形態】
【００１９】
以下、本発明の実施の形態を図面に基づき詳細に説明する。
【００２０】
本実施形態においては、電子機器としてノート型のパーソナルコンピュータ１を適用している。また、放送の受信から映像及び／又は音声の再生までの処理のうち、放送の受信や当該放送信号の復調等の処理を、当該パーソナルコンピュータ１のＰＣＭＣＩＡカードスロットに挿入したカード型の受信装置１０により実行している。まず、当該カード型の受信装置１０について説明する。
【００２１】
（カード型の受信装置の外観構成）  
【００２２】
図１は本発明の一実施形態に係るカード型の受信装置の外観を示す斜視図であって、アンテナ収容ケースを折り畳んだ状態を示している。図２は当該カード型の受信装置の外観を示す図であって、アンテナ収容ケースを開いた状態を示している。図３は当該カード型の受信装置がパーソナルコンピュータのＰＣＭＣＩＡカードスロットに挿入された状態を示している。
【００２３】
これらの図に示すように、このカード型の受信装置１０は、パーソナルコンピュータ１のＰＣＭＣＩＡカードスロット２に挿入可能とされている。  
【００２４】
このカード型の受信装置１０は、パーソナルコンピュータ１のＰＣＭＣＩＡカードスロット２内に収容されるカード本体２０と、このカード本体２０と一体化され、かつ、カード本体２０がＰＣＭＣＩＡカードスロット２内に収容されたときに当該カードスロット２より外側に露出する外出部３０とを有する。
【００２５】
カード本体２０は、長方形で金属製の筺体２１と、筺体２１の一辺側（外出部３０がある側とは反対側の辺）に設けられたコネクタ２２とを有する。コネクタ２２は、メス型であり、カード本体２０がＰＣＭＣＩＡカードスロット２内に収容されたときにＰＣＭＣＩＡカードスロット２内の対応する位置に設けられたオス型のコネクタ（図示せず）に接続されるようになっている。なお、カード本体２０の表面には、商品の名称や注意書き等が印刷されたシール（図示せず）が貼られている。
【００２６】
外出部３０は、カード本体２０がＰＣＭＣＩＡカードスロット２内に収容される第１の方向（Ｘ方向）にカード本体２０から延在された第１のケース３１と、第１のケース３１におけるＸ方向と直交する方向（Ｙ方向）の両側の枢着部３２にそれぞれ枢着された２つの第２のケース（アンテナ収容ケース）３３とを有する。第１のケース３１は、例えばカード本体２０より僅かに厚く、且つ、僅かに幅が大きいプラスチック製のケースであり、カード本体２０におけるコネクタ２２が設けられた辺とは反対側の辺に突き出るように設けられている。
【００２７】
第１のケース３１の表面３４のほぼ中央には、Ｘ方向に所定の間隔をもって配置され、それぞれＹ方向に延びる２つのゴム製のクッション部材３５が取り付けられている。なお、第１のケース３１の裏面には、商品特定用のバーコードが印刷されたシール（図示せず）が貼られている。
【００２８】
２つの第２のケース３３は、左右対称の形状を有しており、第２のケース３３の折り畳み時には第２のケース３３の表面３６が第１のケース３１の表面３４と対面して第１のケース３１と第２のケース３３とが一体化して形状となり、各第２のケース３３をＹ方向に開いたとき、つまりこの受信装置１０の使用時には２つの第２のケース３３の表面３６が第１のケース３１の表面３４と同じ方向（仰向き）となるように、枢着部３２を介してカード本体２０に枢着されている。
【００２９】
各第２のケース３３の表面３６には、それぞれ十字上の溝３７が設けられている。また、各第２のケース３３の表面３６のＹ方向の外側２箇所には突起部３８が設けられている。この突起部３８は、第２のケース３３の折り畳み時に、第１のケース３１の表面３４に取り付けられたクッション部材３５に当接するようになっている。これにより、第２のケース３３の折り畳み時の機械的ショックが第１のケース３１及び第２のケース３３に極力影響しないようにされている。
【００３０】
各第２のケース３３の第１のケース３１がある側とは反対側の側面には、外部アンテナ接続端子３９が設けられている。外部アンテナ接続端子３９にはゴム製のキャップ４０が取り付けられている。
【００３１】
（カード型の受信装置１０の内部構成）  
【００３２】
ここで、このカード型の受信装置１０は、衛星放送を受信して暗号化された映像信号及び／又は音声信号をパーソナルコンピュータ１に伝送するものである。なお、当該衛星放送における放送信号の伝送にはマルチパス環境においても良好な受信が可能なＣＤＭ（Ｃｏｄｅ  Ｄｉｖｉｓｉｏｎ  Ｍｕｌｔｉｐｌｅｘｉｎｇ；符号分割多重）方式を用いることが好ましい態様であるが、他の方式であっても勿論構わない。ＣＤＭ方式は、伝送されるデジタルデータのストリームにおける１シンボル内のマルチパスフェージングによって散乱して受信機に到来した受信信号を複数の相関受信機を用いて分離し、散乱した信号を合成して信号電力を高めて受信するＲＡＫＥ受信を行うことにより、耐マルチパス特性の高い受信が可能となる。
【００３３】
図４はこの実施形態に係るカード型の受信装置１０の内部構成を示すブロック図である。  
【００３４】
同図に示すように、第２のケース３３内には、平面型のパッチアンテナ４１、ＬＮＡ（ローノイズアンプ）４２及びアンテナ切り替え部４３が収容されている。ＬＮＡ４２は、パッチアンテナ４１又は外部アンテナから入力されたＲＦ信号を増幅する増幅器である。アンテナ切り替え部４３は、外部アンテナ接続端子３９に外部アンテナが接続されたとき、当該接続による力によって平面型のパッチアンテナ４１に代えて外部アンテナからの信号がＬＮＡ４２に入力されるように切り替えるものである。外部アンテナが外されたときには、その逆の動作が行われる。
【００３５】
図５に示すように、平面型のパッチアンテナ４１は、第２のケース３３の表面３６側に指向性を有するアンテナである。この平面型のパッチアンテナ４１の裏面に、ＬＮＡ４２及びアンテナ切り替え部４３が配置されている。
【００３６】
第１のケース３１内には、増幅されたＲＦ信号を復調部に渡すためにダウンコンバートするＲＦダウンコンバート部４４が設けられている。
【００３７】
図６に示すように、このＲＦダウンコンバート部４４を構成する素子における第１のケース３１の表面３４側には、グランドに接地された金属製の板状部材４５により覆われている。これにより、ＲＦダウンコンバート部４４から発生する熱をより効果的に放熱することが可能となり、ＲＦダウンコンバート部４４から発生するノイズがＬＮＡ４２に回り込むことがなくなる。
【００３８】
カード本体２０内には、ＲＦダウンコンバート部４４によりダウンコンバートされたＲＦ信号を復調する復調部４６、条件付きアクセスまたは限定受信にされている有料放送において受信契約の有無に応じてＲＦ信号の解読を実行するか否かを規制するコンディショナル・アクセス部４７、パーソナルコンピュータ１との間でインターフェースを図ると共にパーソナルコンピュータ１側に送出する復調された信号を暗号化するインターフェース部４８及びコネクタ２２が設けられている。なお、カード本体２０内には、これらの要素の他に、装置全体を包括的に制御するための制御部やＲＡＭ(Random Access Memory)、ＲＯＭ(Read Only Memory)、パーソナルコンピュータ１から供給された電力を各部に供給するための電源部等（以上、図示を省略）を備える。
【００３９】
以上の第１のケース３１内及びカード本体２０内の各構成部品は１枚の共通の基板４９上に実装されている。
【００４０】
次に、上記のようなカード型の受信装置１０が接続されるパーソナルコンピュータ１について説明する。図７は、パーソナルコンピュータ１の構成を示したブロック図である。
【００４１】
同図に示すように、パーソナルコンピュータ１は、インターフェース部７１、デコーダ７２、グラフィックコントローラ７３、Ｄ／Ａ（デジタル／アナログ）コンバータ７４、表示部７５、音声出力部７６、操作入力部７７、バッテリ７８、ＨＤＤ７９、ＣＰＵ(Central Processing Unit)８０、ＲＡＭ８１及びＲＯＭ８２で構成され、それらはバス８３で接続されている。
【００４２】
インターフェース部７１は、パーソナルコンピュータ１とカード型の受信装置１０とを接続するインターフェースとなる。当該インターフェース部７１は具体的には上述したＰＣＭＣＩＡカードスロット２であり、当該スロット２内のオス型のコネクタが上記カード型受信装置１０のメス型のコネクタ２２と接続することで、上記復調部４６において復調され、インターフェース部４８において暗号化された信号がパーソナルコンピュータ１内に送入される。
【００４３】
デコーダ７２は、上記インターフェース部７１を介して送入されたデジタル信号の処理を行う。具体的には、暗号化されたデジタル信号を復号するとともに、例えばＭＰＥＧ−２（Moving Picture Experts Group-2）のＴＳ（トランスポートストリーム）方式で圧縮されたデジタル信号をＭＰＥＧ−２の規定に従ってデコードする。当該デコードされたデジタル信号のうち、映像信号はグラフィックコントローラ７３へ送られ、音声信号はＤ／Ａコンバータ７４へ送られる。更に、データ信号又はＳＩ／ＰＳＩ（Program Specific Information / Service Information）信号からは、各チャンネルで放送される番組の番組内容が記述されたＥＰＧデータが抽出され、ＲＡＭ８１へ記憶される。なお、本実施形態においては、デコーダ７２はソフトウェアにより実現されるが、ハードウェアによって実現されても勿論構わない。
【００４４】
グラフィックコントローラ７３では、受信したデジタル映像信号が例えばＮＴＳＣ画像信号に変換され、当該ＮＴＳＣ画像が、例えばＬＣＤ（Liquid Crystal Display）等でなる表示部７５へ表示される。また、Ｄ／Ａコンバータ７４では、デジタル音声信号がアナログ音声信号へ変換され、当該アナログ音声信号が音声出力部７６から出力される。
【００４５】
操作入力部７７は、例えばマウス、トラックパッド、タッチパネル、操作ボタン等でなり、番組を再生又は録画したり、番組情報を表示したりする際のユーザの操作を入力する。またバッテリ７８は、パーソナルコンピュータ１の電源を供給すると共に、上記インターフェース部７１を介してカード型受信装置１０へ電力を供給する。
【００４６】
ＨＤＤ７９は、ＯＳや各種アプリケーション等、パーソナルコンピュータ１を動作させるために必要なプログラムや、放送番組を記録した映像又は音声ファイル等の各種データを格納している。本実施形態においてデジタル放送を視聴するための放送視聴アプリケーション８４も当該ＨＤＤ７９に格納される。
【００４７】
ＣＰＵ８０は、ＲＯＭ８２に格納されている制御プログラムや、上記放送視聴アプリケーション８４のような各種アプリケーションやプログラム、各種データをＲＡＭ８１に展開し、上記操作入力部７７から入力されたユーザの指示に基づいて、各種ハードウェアや、アプリケーション及びプログラムの処理を行い、パーソナルコンピュータ１の全体の動作を制御する。なお、放送視聴アプリケーション８４は放送を視聴するためのプログラムの他、放送を録画するための録画プログラムが含まれている。
【００４８】
次に、この録画プログラムの動作について説明する。まず、この録画プログラムは、飛び越し録画モードと、静止画挿入モードがあり、ユーザはパーソナルコンピュータ１の操作入力部７７から入力することによりモードを切り替えることができる。
【００４９】
まず、飛び越し録画モードについて説明する。
【００５０】
図８は飛び越し録画モードにおける各部の信号を示す図である。同図において、１０１は受信可能圏内、受信可能圏外を示す信号であり、この信号は復調部４６によりビット誤り率が一定以上の場合に受信可能圏外を示す信号を受信装置１０のインターフェース部４８、パーソナルコンピュータ１のインターフェース部７１を介して録画プログラムが参照することができるものである。１０２は放送される無線信号、１０３、１０４は復調部４６から復調され、ＨＤＤ７９に記録される映像信号を示している。
【００５１】
図９は飛び越し録画モードの動作を示すフローチャートである。同図に示すようにまず、受信可能圏内であるか否かが判断される（ステップＳＴ１１）。すなわち、録画プログラムはインターフェース部７１を参照し、受信可能圏内にある場合にはデコーダ７２からの出力信号を画像１フレーム分だけＨＤＤ７９に記録し（ステップＳＴ１２）、ステップＳＴ１４に進む。一方、受信可能圏内にない場合には（ステップＳＴ１１）、ＨＤＤ７９に現在記録している映像信号のファイルの記録情報領域の飛び越し録画フラグを立て（ステップＳＴ１３）、ステップＳＴ１４に進む。飛び越し録画フラグは後述するようにファイル名を表示する場合に使用されるものである。ステップＳＴ１４では、録画が終了したかどうかが判断され、終了でなければステップＳＴ１１に戻り、終了の場合には録画プログラムを終了する。
【００５２】
以上の動作により、図８の時刻Ｔ１以前の受信可能圏内においては放送される無線信号に対応する映像信号１０３がＨＤＤ７９に記録される。時刻Ｔ１から時刻Ｔ２の受信可能圏外においては放送される無線信号１０２に対応する映像信号はＨＤＤ７９には記録されないことになる。また、時刻Ｔ２以降の受信可能圏内においては放送される無線信号１０２に対応する映像信号はＨＤＤ７９に記録されることになる。この場合にＨＤＤ７９においては映像信号１０３と映像信号１０４は時間的に連続して記録される。このため、受信可能圏外である時刻Ｔ１から時刻Ｔ２の間の映像信号はカットされて記録されることになり、ＨＤＤ７９のデータ領域を効率的に利用することが可能である。
【００５３】
次に、静止画挿入録画モードについて説明する。
【００５４】
図１０は静止画挿入録画モードにおける各部の信号を示す図である。同図において、１０５は受信可能圏内、受信可能圏外を示す信号であり、この信号は復調部４６によりビット誤り率が一定以上の場合に受信可能圏外を示す信号を受信装置１０のインターフェース部４８、パーソナルコンピュータ１のインターフェース部７１を介して録画プログラムが参照することができるものである。１０６は放送される無線信号、１０７、１０９は復調部４６から復調され、ＨＤＤ７９に記録される映像信号、１０８は挿入されて記録される静止画を示している。
図１１は静止画挿入録画モードの動作を示すフローチャートである。同図に示すようにまず、受信可能圏内であるか否かが判断される（ステップＳＴ２１）。すなわち、録画プログラムはインターフェース部７１を参照し、受信可能圏内にある場合にはデコーダ７２からの出力信号を画像１フレーム分だけＨＤＤ７９に記録し（ステップＳＴ２２）、ステップＳＴ２５に進む。一方、受信可能圏内にない場合には（ステップＳＴ２１）、ＨＤＤ７９に現在記録している映像信号のファイルの記録情報領域の静止画挿入フラグを立て（ステップＳＴ２３）、ステップＳＴ２５に進む。静止画挿入フラグは後述するようにファイル名を表示する場合に使用されるものである。そして、受信可能圏外となる以前の直近の受信可能圏内での最後にデコーダ７２によってデコードされた画像１フレーム分の出力信号をＨＤＤ７９に記録し（ステップＳＴ２４）、ステップＳＴ２５に進む。ステップＳＴ２５では、録画が終了したかどうかが判断され、終了でなければステップＳＴ２１に戻り、終了の場合には録画プログラムを終了する。なお、ステップＳＴ２４において受信可能圏内で最後にデコードされた画像１フレーム分の映像信号はＲＡＭ８１に一時的に記録されている映像信号をＨＤＤ７９に記録する。
【００５５】
以上の動作により、図１０の時刻Ｔ３以前の受信可能圏内においては放送される無線信号１０６に対応する映像信号１０７がＨＤＤ７９に記録される。時刻Ｔ３から時刻Ｔ４の受信可能圏外においては、受信可能圏内での映像信号１０７の最後にデコードされた画像フレームの静止画を示す信号がＨＤＤ７９に記録されることになる。また、時刻Ｔ４以降の受信可能圏内においては放送される無線信号１０６に対応する映像信号１０９はＨＤＤ７９に記録されることになる。この場合には圏外となっても直前のフレームの静止画が記録されるので、スムーズな映像を再生することが可能になる。また、実際に放送された時間とＨＤＤ７９に記録されている時間とが同じであるので番組中の特定の時刻の録画箇所を探すのに便利である。
【００５６】
なお、ＭＰＥＧ−４などのように時間軸上の画像の差分をとって圧縮して記録する方式では、静止画を記録することは、データの消費はごくわずかである。
【００５７】
図１２は放送視聴アプリケーションの一部を構成する録画ファイルリスト表示プログラムによって表示されるウインドウ画面を示す図である。同図において、１１０は表示部７５に表示されるウインドウ画面、１１１はチャンネルロゴ、１１２はチャンネル、１１３はチャンネル名、１１４は記録日時、１１５は記録状態表示部を示してしる。記録状態表示部１１５には、飛び越し録画モードにおいて飛び越し録画、すなわち、受信可能圏外になったことにより一部がカットされて記録された場合には「飛越録画」という表示がされ、静止画挿入モードにおいて静止画の挿入がされた場合には「静止画挿入」という表示がされる。このように記録状態が表示されることで再生時に特定の映像のサーチに便利となる。
【図面の簡単な説明】
【００５８】
【図１】本発明の一実施形態に係るカード型の受信装置の外観を示す斜視図であって、アンテナ収容ケースを折り畳んだ状態を示している。
【図２】一実施形態に係るカード型の受信装置の外観を示す図であって、アンテナ収容ケースを開いた状態を示している。
【図３】一実施形態に係るカード型の受信装置がパーソナルコンピュータのＰＣＭＣＩＡカードスロットに挿入された状態を示している。
【図４】一実施形態に係るカード型の受信装置の内部構成を示すブロック図である。
【図５】一実施形態に係る第２のケースの断面図である。
【図６】一実施形態に係る第１のケースの断面図である。
【図７】パーソナルコンピュータの構成を示したブロック図である。
【図８】飛び越し録画モードにおける各部の信号を示す図である。
【図９】飛び越し録画モードの動作を示すフローチャートである。
【図１０】静止画挿入録画モードにおける各部の信号を示す図である。
【図１１】静止画挿入録画モードの動作を示すフローチャートである。
【図１２】放送視聴アプリケーションの一部を構成する録画ファイルリスト表示プログラムによって表示されるウインドウ画面を示す図である。  ４６  復調部  ４８、７１  インターフェース部  ７２  デコーダ  ７５  表示部  ７７  操作入力部  ７９  ＨＤＤ  ８０  ＣＰＵ  ８１  ＲＡＭ  ８２  ＲＯＭ  ８４  放送視聴アプリケーション
【図１】
2006245705.tif 000003
【図２】
2006245705.tif 000004
【図３】
2006245705.tif 000005
【図４】
2006245705.tif 000006
【図５】
2006245705.tif 000007
【図６】
2006245705.tif 000008
【図７】
2006245705.tif 000009
【図８】
2006245705.tif 000010
【図９】
2006245705.tif 000011
【図１０】
2006245705.tif 000012
【図１１】
2006245705.tif 000013
【図１２】
2006245705.tif 000014